(57)【要約】【課題】上下のボックスの積み重ねに当っての位置決めが簡単且つ容易にできる。簡単な構成で上下のボックスの積み重ね目地が外部に見えないようにできる。【解決手段】ボックス本体１の開口部２に開閉自在に扉３を取付けたボックス４を上下に複数積み重ねて構成した集合ボックス装置５である。扉３の下端部をボックス本体１の下端よりも下方に突出させて下方突出部６とすると共にボックス本体１の下面に突部７を突設する。突部７の下端を扉３の下端部の下方突出部６の下端よりも下方に位置させ、ボックス本体１の上面に、ボックス４を上下に積み重ねた状態で上記突部７が嵌り込む凹部８を設ける。ボックス４を上下に複数積み重ねた状態で、扉３の下端部の下方突出部６で上下のボックス４の積み重ね目地を隠す。【選択図】図１
2009113850.tif 000002
【特許請求の範囲】
【請求項１】
ボックス本体の開口部に開閉自在に扉を取付けたボックスを上下に複数積み重ねて構成した集合ボックス装置において、扉の下端部をボックス本体の下端よりも下方に突出させて下方突出部とすると共にボックス本体の下面に突部を突設し、上記突部の下端を扉の下端部の下方突出部の下端よりも下方に位置させ、ボックス本体の上面に、ボックスを上下に積み重ねた状態で上記突部が嵌り込む凹部を設け、ボックスを上下に複数積み重ねた状態で、扉の下端部の下方突出部で上下のボックスの積み重ね目地を隠して成ることを特徴とする集合ボックス装置。
【発明の詳細な説明】
【技術分野】
【０００１】
本発明は、扉付きのボックスを上下に積み重ねて構成する集合ボックスに関するものである。
【背景技術】
【０００２】
従来から、ボックス本体の開口部に開閉自在に扉を取付けたボックスを上下に複数積み重ねて構成した集合ボックス装置が特許文献１などにより知られている。
【０００３】
このようにボックスを上下に複数積み重ねて集合ボックス装置を構成するに当って、上下に積み重ねるボックス同士の位置決めをするため、ボックス本体の下面に係合突起を設けると共にボックス本体の上面に係合凹部を設け、ボックスを上下に積み重ねた状態で、上記係合突起を係合凹部を係合して、上下に積み重ねるボックス相互の位置決めを行うようにしている。
【０００４】
そして、上記のように上下に複数積み重ねて位置決めできるので、必要に応じて任意の数のボックスを上下に多段に積み重ねた集合ボックス装置を簡単に構成できるという特徴がある。
【０００５】
ところが、上記特許文献１に示された従来例にあっては、扉の下端がボックス本体の下端よりも上方にややずれて位置していると共に扉が上端のボックス本体の上端よりも下方にややずれて位置しており、このため、ボックスを上下に複数積み重ねた状態で、上下のボックスの積み重ね目地が、下のボックスの扉の上端と上のボックスの扉の下端との間の隙間において露出し、外部から、上記上下のボックスの積み重ね目地が見え、集合ボックス装置は全体として複数の別体のボックスを積み重ねたものとしての外観でしかなく、集合ボックス装置全体が一体物であるかのような外観にならず、商品価値が低下するという問題がある。
【特許文献１】特開２００２−２１１６０９
【発明の開示】
【発明が解決しようとする課題】
【０００６】
本発明は上記の従来の問題点に鑑みて発明したものであって、複数のボックスを上下に積み重ねて構成する集合ボックス装置において、上下のボックスの積み重ねに当っての位置決めが簡単且つ容易にでき、また、簡単な構成で上下のボックスの積み重ね目地が外部に見えないようにできて、集合ボックス装置が全体として一体の大きなボックスに複数の扉を設けたような外観にでき、また、現場で複数のボックスを上下に積み重ねて集合ボックスを組み立てる際に、ボックスを開梱してボックスを床面に設置した際に、扉の下方突出部が床面に当って扉に荷重が加わり変形したり、破損したりすることがない集合ボックス装置を提供することを課題とするものである。
【課題を解決するための手段】
【０００７】
上記課題を解決するために本発明に係る集合ボックス装置は、ボックス本体１の開口部２に開閉自在に扉３を取付けたボックス４を上下に複数積み重ねて構成した集合ボックス装置５において、扉３の下端部をボックス本体１の下端よりも下方に突出させて下方突出部６とすると共にボックス本体１の下面に突部７を突設し、上記突部７の下端を扉３の下端部の下方突出部６の下端よりも下方に位置させ、ボックス本体１の上面に、ボックス４を上下に積み重ねた状態で上記突部７が嵌り込む凹部８を設け、ボックス４を上下に複数積み重ねた状態で、扉３の下端部の下方突出部６で上下のボックス４の積み重ね目地を隠して成ることを特徴とするものである。
【０００８】
このような構成とすることで、ボックス４を上下に複数積み重ねて集合ボックス装置５を構成するに当って、上段のボックス４の下面に突設した突部７を下段のボックス４の上面に設けた凹部８に嵌め込むことで、上下のボックスの積み重ねに当っての位置決めができる。このようにボックス４を位置決めして上下に複数積み重ねた状態で、上段のボックス４の扉３の下端部の下方突出部６で上下のボックス４の積み重ね目地が隠されて、露出しない。また、現場でボックス４を上下に複数積み重ねて集合ボックス装置５を組み立てるに当って、ボックス４を開梱して一時的に床面９に仮置する場合、突部７の下端を扉３の下端部の下方突出部６の下端よりも下方に位置させてあるので、扉３の下方突出部６が床面９に当ることがなく、扉３の荷重が加わって扉３の変形や破損が生じない。
【発明の効果】
【０００９】
本発明は、上記のように、ボックスを上下に積み重ねた状態で突部を凹部に嵌め込むので、上下のボックスを積み重ねるに当っての位置決めが簡単且つ容易にできて簡単且つ正確に集合ボックス装置を形成でき、また、扉の下端部をボックス本体の下端よりも下方に突出させて下方突出部とし、ボックスを上下に複数積み重ねた状態で、扉の下端部の下方突出部で上下のボックスの積み重ね目地を隠すので、上下のボックスの積み重ね目地が外部に露出せず、集合ボックス装置がボックスを上下に複数積み重ねて構成したものであるにもかかわらず、集合ボックス装置が全体として一体の大きなボックスに複数の扉を設けたような外観にできて商品価値が向上するものであり、また、突部の下端を扉の下端部の下方突出部の下端よりも下方に位置させてあるので、現場で集合ボックス装置を組み立てるに当って、ボックスを開梱して床面に仮置きしても、扉の下方突出部をボックス本体の下面よりも下方に突出させたといえども、下方突出部が床面に当ることがなく、扉の荷重が加わって扉の変形や破損が生じない。
【発明を実施するための最良の形態】
【００１０】
以下、本発明を添付図面に示す実施形態に基いて説明する。
【００１１】
ボックス４は、主体を構成するボックス本体１の開口部２に開閉自在に扉３を取付けることで構成してある。
【００１２】
添付図面に示す実施形態においては、ボックス４として郵便ボックス４ａの例が示してある。本実施形態においては、図４に示すように、ボックス本体１内を仕切り１０により上下に複数の空所１１に分割し、各空所１１の一側面（実施形態では背面）に開口部２（つまり、本実施形態はボックス本体１に上下方向に複数の開口部２が設けてある例である）が設けてあり、各開口部２にはそれぞれ図３に示すように開閉自在に扉３が設けてある。
【００１３】
図２、図３に示すように、最下部に位置する扉３の下端部がボックス本体１の下端よりも下方に突出していて（例えば２〜３ｍｍ）、この下方に突出した部分が下方突出部６となっている。
【００１４】
ここで、添付図面に示す実施形態においては、上記ボックス４に設けた複数の扉３は同じ形状、同じ大きさのものが用いてあり、また、上下方向に並んだ扉３間の隙間の寸法が同じに設定してあり、また、最上部の扉３の上端はボックス本体１の上面よりも下方に位置している。
【００１５】
そして、図１、図２に示すように、扉３間の隙間の寸法をＮ、下方突出部６のボックス本体１の下端からの突出寸法をＬ、最上部の扉３の上端からボックス本体１の上面までの寸法をＭとすると、Ｍ＝Ｌ＋Ｎとなるように設定してある。
【００１６】
ボックス本体１の下面には複数の突部７が下方に向けて突設してあり、この突部７の下端は図２に示すように、上記最下部の扉３の下方突出部６の下端よりもやや下方位置となっている。
【００１７】
また、ボックス本体１の上面にはボックス４を上下に複数積み重ねた際に、上段のボックス４の突部７が嵌め込まれる凹部８を設けてある。
【００１８】
また、ボックス本体１の前面には上下方向に設けた各空所１１に対応した位置に郵便物を投入するための投入口１２が設けてある。
【００１９】
上記郵便ボックス４ａであるボックス４は、上下に複数積み重ねて集合ボックス装置５（集合郵便ボックス装置５ａ）を構成するものであり、複数の郵便ボックス４ａを上下に積み重ねた際に、上段の郵便ボックス４ａの下面の突部７が、下段の郵便ボックス４ａの上面の凹部８に嵌り込んで位置決めされた状態で上下に積み重ねられる。
【００２０】
郵便ボックス４ａを上下に積み重ねると、上段の郵便ボックス４ａの扉３の下端部の下方突出部６で上下のボックス４の積み重ね目地が隠されて、外部に露出せず、集合郵便ボックス装置５ａが郵便ボックス４ａを上下に複数積み重ねて構成したものであるにもかかわらず、集合郵便ボックス装置５ａが全体として一体の大きな郵便ボックスに上下方向に複数の扉３を設けたような外観にできる。ここで、上記のように、Ｍ＝Ｌ＋Ｎとしてあるので、積み重ね部分においても上段の郵便ボックス４ａの最下部の扉３と、下段の郵便ボックス４ａの最上部の扉３との間の隙間の寸法もＮとなり、よりいっそう、全体が一体の集合郵便ボックス装置５ａに上下方向に一定間隔で扉３を連続して設けたような外観にできる。
【００２１】
図５乃至図７の実施形態では上記構成の郵便ボックス４ａを上下に複数積み重ねて構成する集合郵便ボックス装置５ａが、更に、宅配ボックス１３上に載置してある例が示してある。
【００２２】
宅配ボックス１３は少なくとも横巾が郵便ボックス４ａの横巾と同じ（実施形態では横巾、前後巾とも郵便ボックス４ａの横巾、前後巾と同じ）ものが使用される。
【００２３】
宅配ボックス１３は、宅配ボックス本体１４の前面側、背面側がそれぞれ開口部１５となっており、この前面側と背面側の開口部１５にはそれぞれ扉１６、１７が開閉自在に設けてあり、更に、該両面の扉１６、１７をそれぞれ施錠、開錠するための錠装置１８、１９が設けてある。前面側には配達人が操作するテンキー、着荷センサ、配達人に対して受領レシートを発行するプリンタが設けてある。また宅配ボックス本体１４の上面には郵便ボックス４ａの上面に設けた凹部８と同じ凹部８’が設けてあり、また、宅配ボックス本体１４の背面側に設けた扉１６の上端は宅配ボックス本体１４の上面よりも下方に位置しており、扉１６の上端から宅配ボックス本体１４の上面までの寸法は前述のＭと同じ寸法となっている。
【００２４】
したがって、床面９に設置した宅配ボックス１３上に、上記集合郵便ボックス装置５ａの最下段の郵便ボックス４ａ下面に突設した突部７を、宅配ボックス１３の上面の凹部８’に嵌め込むんで位置決めして積み重ねるものである。ここで、上記のように宅配ボックス１３の上に最下段の郵便ボックス４ａを積み重ねると、最下段の郵便ボックス４ａの扉３の下端部の下方突出部６で宅配ボックス１３と最下段の郵便ボックス４ａとの積み重ね目地が隠されて、外部に露出せず、宅配ボックス１３と最下段の郵便ボックス４ａとが別体であるにもかかわらず、宅配ボックス１３と、集合郵便ボックス装置５ａが全体として一体の大きな収納体に上下方向に複数の扉３を設けたような外観にできる。しかも、上下方向において扉３と扉３との間の寸法、扉３と扉１７との間の寸法がいずれもＮとなるので、よりいっそう、全体が一体の収納体に上下方向に同じ隙間を介して扉３、１７を連続して設けたような外観にできる。
【００２５】
このように、宅配ボックス１３の上に複数の郵便ボックス４ａを積み重ねた集合郵便ボックス装置５ａを積み重ねて構成する収納体は、共同住宅の玄関ロビーなどの壁の一部を構成するように施工されるものであり、前面側の投入口１２、扉１６が玄関ロビーなどの共同住宅の住人以外の人も入ることができる空間に面し、後面側の扉３、認証部２１、扉１７が共同住宅の住人のみが専用で使用する空間に面するように施工する。
【００２６】
図５乃至図７に示す実施形態においては、宅配ボックス１３の上に複数の郵便ボックス４ａを積み重ねた集合郵便ボックス装置５ａを積み重ねて構成する収納体をワンセットとして横方向に複数並べた例を示しており、幾つ並べるかは、設置する集合住宅の戸数により決定される。
【００２７】
また、添付図面に示す実施形態では、郵便ボックス４ａに設けた複数の扉３は電気錠２０により施錠がなされるように構成してある。そして、上下に積み重ねた複数の郵便ボックス４ａにそれぞれ設けた扉３の電気錠２０を一箇所に設けた認証部２１で認証して対応する電気錠２０を開錠する制御を行うことができるようになっている。図５、図６に示す実施形態では上下に積み重ねた複数の郵便ボックス４ａにそれぞれ設けた扉３のいずれか一つに認証部２１を設けた例であり、集合住宅の各戸毎に与えられる半導体メモリを備える非接触ＩＣカードからなる認証媒体、あるいは携帯電話機に内蔵した半導体メモリを用いた非接触ＩＣカードと同様に用いることができる認証媒体を、認証部２１に近づける又は接触させることで、認証媒体に登録された情報が、あらかじめ登録されている情報と規定の関係を満たすか否かの照合を行い、照合結果が合格であれば認証して該認証された該当する扉３の電気錠２０の開錠を行うにように制御部（図示せず）により制御するようになっている。なお、上記認証部２１の認証で、宅配ボックス１３の扉１７に設けた錠装置１９の開錠のための認証を行うようにしてもよい。
【００２８】
ところで、集合郵便ボックス装置５ａは、現場で郵便ボックス４ａを複数積み重ねて構成するのであるが、この場合、梱包した郵便ボックス４ａを開梱し、床面９に一時的に仮置きし、このようにして開梱した複数の郵便ボックス４ａを上下に積み重ねて集合郵便ボックス装置５ａを組み立てるのであるが、この時、突部７の下端を扉３の下端部の下方突出部６の下端よりも下方に位置させてあるので、開梱した郵便ボックス４ａを一時的に床面９に仮置きした際、図８に示すように、突部７が床面９に載置され、扉３の下方突出部６が床面９に当らない。したがって、仮置き時に、扉３の下方突出部６が床面９に当って、扉３に荷重が加わって扉３の変形や破損が生じるというようなおそれがない。
【００２９】
上記した実施形態では、宅配ボックス１３の上に複数の郵便ボックス４ａを積み重ねた集合郵便ボックス装置５ａを積み重ねた例を示したが、複数の郵便ボックス４ａを積み重ねて構成した集合郵便ボックス装置５ａは、上記のように宅配ボックス１３の上に載置されるものにのみ限定されない。
【００３０】
また、上記実施形態では、ボックス本体１内を仕切り１０により上下に複数の空所１１に分割し、各空所１１の開口部２それぞれ開閉自在に扉３が設けてボックス４（郵便ボックス４ａ）を設けた例を示したが、一つのボックス本体１に一つの開口部２を設けると共に該一つの開口部２に一つの扉３を開閉自在に設けてボックス４（郵便ボックス４ａ）を構成し、該ボックス４を上下方向に複数積み重ねて集合ボックス装置５（集合郵便ボックス装置５ａ）を構成してもよい。
【００３１】
この場合の作用、効果も前述の実施形態と同様である。
【図面の簡単な説明】
【００３２】
【図１】本発明の一実施形態の一部省略側面図である。
【図２】同上の一部省略分解側面図である。
【図３】同上に用いるボックスの一実施形態の斜視図である。
【図４】同上に用いるボックス本体の斜視図である。
【図５】本発明の集合ボックス装置を宅配ボックスの上に載置した収納体を横に複数並設する例を示す斜視図である。
【図６】（ａ）は同上の背面図であり、（ｂ）は同上の正面図である。
【図７】同上の宅配ボックス上に本発明の集合ボックス装置を載置した部分の側図である。
【図８】同上のボックスを開梱して床面に仮置きした状態を示す側面図である。
【符号の説明】
【００３３】
１  ボックス本体
２  開口部
３  扉
４  ボックス
５  集合ボックス装置
６  下方突出部
７  突部
８  凹部
【図１】
2009113850.tif 000003
【図２】
2009113850.tif 000004
【図３】
2009113850.tif 000005
【図４】
2009113850.tif 000006
【図５】
2009113850.tif 000007
【図６】
2009113850.tif 000008
【図７】
2009113850.tif 000009
【図８】
2009113850.tif 000010